(57)【要約】【課題】モジュールのコネクタに応力が集中することを防止できる取付金具を備えた電子機器を提供する。【解決手段】電子機器１は、収容部２７が設けられたベース２６を有する機器筐体１０と、機器筐体１０に収容された回路基板１３と、機器筐体１０の収容部２７に収容され、回路基板１３と電気的に接続するモジュール２１と、モジュール２１から突出され、ベース２６に支持された支持部５１を有し、支持部５１とモジュール２１との間に位置する開口部５２が設けられた突出部３２と、を具備している。【選択図】    図７
2011129191.tif 000002
【特許請求の範囲】
【請求項１】
モジュールを機器筐体の底壁に取り付けるための金具本体を具備し、前記金具本体は、
前記モジュールの側縁部に当接する当接部を有し、該当接部と前記モジュールとを固定するための複数の第１のねじが通される複数の第１のねじ孔が設けられたモジュール固定部と、
前記モジュール固定部が延びる方向と直交する方向に延びるとともに、前記金具本体を前記機器筐体の底壁に固定するための第２のねじが通される第２のねじ孔が設けられた機器筐体固定部と、
前記モジュール固定部と前記機器筐体固定部とで規定されるとともに、前記モジュール固定部と前記機器筐体固定部に跨る開口部が設けられたコーナー部と、を備え、
前記開口部は、前記モジュール固定部に対して前記機器筐体固定部が変位可能となるように前記モジュールの側縁部に沿って延びる長孔形状に設けられたことを特徴とする取付金具。
【請求項２】
収容部が設けられたベースを有する機器筐体と、
前記機器筐体に収容された回路基板と、
前記機器筐体の前記収容部に収容され、前記回路基板と電気的に接続するモジュールと、
前記モジュールから突出され、前記ベースに支持された支持部を有し、該支持部と前記モジュールとの間に位置する開口部が設けられた突出部と、
を具備していることを特徴とする電子機器。
【請求項３】
前記開口部は、前記モジュールの側縁部に沿う方向に延びる長孔形状に設けられたことを特徴とする請求項２に記載の電子機器。
【請求項４】
前記突出部は、前記モジュールに固定された第１の部分と、前記支持部および前記開口部が設けられた第２の部分とを含み、前記第１の部分と前記第２の部分とが一体に設けられたことを特徴とする請求項２に記載の電子機器。
【請求項５】
前記開口部は、前記第１の部分と前記第２の部分とに跨ることを特徴とする請求項４に記載の電子機器。
【請求項６】
前記支持部は、固定具によって前記ベースに固定されていることを特徴とする請求項２に記載の電子機器。
【請求項７】
前記収容部は、前記ベースから沈み込むとともに、前記モジュールの前記側縁部に対向する側壁を有し、
前記開口部は、前記側縁部と前記側壁との間に位置することを特徴とする請求項２に記載の電子機器。
【請求項８】
前記開口部は、前記側縁部の近傍に設けられたことを特徴とする請求項７に記載の電子機器。
【請求項９】
前記ベースは、グランド部を有しており、前記グランド部が前記支持部に当接したことを特徴とする請求項２に記載の電子機器。
【請求項１０】
前記突出部に複数の前記開口部が設けられており、複数の前記開口部は、前記モジュールの側縁部に沿う方向に並んで配置されていることを特徴とする請求項２に記載の電子機器。
【発明の詳細な説明】
【技術分野】
【０００１】
本発明は、電子機器のモジュールと筐体との間を固定する取付金具およびこの取付金具を備える電子機器に関する。
【背景技術】
【０００２】
ポータブルコンピュータのような電子機器は、持ち運びを容易にするために薄型化および軽量化が求められる。このような電子機器の筐体には、ハードディスクドライブ（ＨＤＤ）や、オプティカルディスクドライブ（ＯＤＤ）や、液晶表示パネルのような種々のモジュールが収容されている。
【０００３】
上記のようなモジュールには、ケーブルが接続されるコネクタが設けられている。これらのモジュールは、このコネクタに接続されたケーブルを介してマザーボードのような他の部品に接続されている。
【０００４】
これらのモジュールは、取付金具によって筐体内部に固定されている。例えば特許文献１に開示されるように、ハードディスクを取付具にねじで固定し、この取付具を筐体にねじで固定する。この取付具は、弾性を有する振動抑制手段を備えており、この振動抑制手段にハードディスクを固定することによってハードディスクに伝達する振動を抑制している。
【０００５】
また、電子機器が落下などによって外部から衝撃を受けた場合、モジュールのコネクタに応力が集中しやすい。このようなコネクタへの応力集中を防止するため、コネクタの周辺では筐体に対して僅かに変位可能にモジュールを固定するとともに、コネクタから離れた位置では筐体にモジュールをしっかりと固定することが行なわれている。コネクタの周囲ではモジュールが筐体に対して変位可能であるため、電子機器に衝撃が加わったとしてもコネクタに応力が集中することを防止できる。
【先行技術文献】
【特許文献】
【０００６】
【特許文献１】特開平６−４４７６１号公報
【発明の概要】
【発明が解決しようとする課題】
【０００７】
上記のようにコネクタの周辺では筐体に対して僅かに変位可能にモジュールを固定し、コネクタから離れた位置では筐体にモジュールをしっかりと固定すると、少なくとも２種類の取付金具が必要になる。さらに、筐体に対して僅かに変位可能にモジュールを固定するために、先端部にのみねじ山を有する特殊なねじが使用される。このため、部品点数が増加してしまう。
【０００８】
本発明の目的は、モジュールのコネクタに応力が集中することを防止できる取付金具および、この取付金具を備えた電子機器を提供することである。
【課題を解決するための手段】
【０００９】
上記目的を達成するための本発明の一つの形態に係る取付金具は、  
モジュールを機器筐体の底壁に取り付けるための金具本体を具備している。前記金具本体は、モジュール固定部と、機器筐体固定部と、コーナー部と、を備えている。前記モジュール固定部は、前記モジュールの側縁部に当接する当接部を有し、該当接部と前記モジュールとを固定するための複数の第１のねじが通される複数の第１のねじ孔が設けられている。前記機器筐体固定部は、前記モジュール固定部が延びる方向と直交する方向に延びるとともに、前記金具本体を前記機器筐体の底壁に固定するための第２のねじが通される第２のねじ孔が設けられている。前記コーナー部は、前記モジュール固定部と前記機器筐体固定部とで規定されるとともに、前記モジュール固定部と前記機器筐体固定部に跨る開口部が設けられている。前記開口部は、前記モジュール固定部に対して前記機器筐体固定部が変位可能となるように前記モジュールの側縁部に沿って延びる長孔形状に設けられている。
【００１０】
上記目的を達成するための本発明の一つの形態に係る電子機器は、  
収容部が設けられたベースを有する機器筐体と、前記機器筐体に収容された回路基板と、前記機器筐体の前記収容部に収容され、前記回路基板と電気的に接続するモジュールと、前記モジュールから突出され、前記ベースに支持された支持部を有し、該支持部と前記モジュールとの間に位置する開口部が設けられた突出部と、を具備している。
【発明の効果】
【００１１】
本発明の取付金具および電子機器によれば、モジュールのコネクタに応力が集中することを防止できる。
【図面の簡単な説明】
【００１２】
【図１】本発明の第１の実施の形態に係るポータブルコンピュータの斜視図。
【図２】第１の実施の形態のポータブルコンピュータを下方から見た平面図。
【図３】第１の実施の形態のベースを示す平面図。
【図４】第１の実施の形態のＨＤＤモジュールを示す斜視図。
【図５】第１の実施の形態の取付金具の一部を示す側面図。
【図６】図３のＦ６−Ｆ６線に沿って示す断面図。
【図７】図６の円Ａで囲む部分を拡大して示す断面図。
【図８】本発明の第２の実施の形態に係るベースを示す平面図。
【図９】本発明の第３の実施の形態に係るメイン筐体の内部を示す平面図。
【図１０】第３の実施の形態のＯＤＤモジュールを示す斜視図。
【図１１】第３の実施の形態の取付金具を示す斜視図。
【図１２】第３の実施の形態のＯＤＤモジュールとベースと取付金具とを示す断面図。
【図１３】本発明の第４の実施の形態に係るディスプレイ筐体の内部を示す平面図。
【図１４】図１３の円Ｅで囲む部分を拡大して示す平面図。
【発明を実施するための形態】
【００１３】
以下に、本発明の第１の実施の形態を図１ないし図７に基づいて説明する。  
図１は、キーボードのキーを一部除いてポータブルコンピュータ１を示す斜視図である。ポータブルコンピュータ１は、電子機器の一例である。図１に示すように、ポータブルコンピュータ１は、コンピュータ本体２と、ディスプレイユニット３とを有している。
【００１４】
コンピュータ本体２は、偏平な箱状のメイン筐体１０を備えている。メイン筐体１０は、機器筐体の一例である。メイン筐体１０の上面にキーボード取付部１１が形成されている。キーボード取付部１１にキーボード１２が支持されている。メイン筐体１０の内部に、回路基板１３が収容されている。回路基板１３は、例えばＣＰＵが実装されたマザーボードである。
【００１５】
ディスプレイユニット３は、コンピュータ本体２の後端に一対のヒンジ部１５を介して連結されている。ディスプレイユニット３は、ヒンジ部１５を支点として、コンピュータ本体２の上に横たわる閉じ位置と、コンピュータ本体２の後端から起立する開き位置との間で回動可能となっている。
【００１６】
ディスプレイユニット３は、偏平な箱状のディスプレイ筐体１７と、ディスプレイ筐体１７に収容されたディスプレイモジュール１８とを備えている。ディスプレイモジュール１８は、例えば液晶ディスプレイである。ディスプレイ筐体１７の前面にディスプレイ開口部１７ａが設けられている。ディスプレイ開口部１７ａは、ディスプレイモジュール１８のスクリーン１８ａをディスプレイユニット３の外に露出させる。
【００１７】
図２は、ポータブルコンピュータ１を下方から見た平面図である。図２に示すように、メイン筐体１０の内部に、ＨＤＤモジュール２１と、ＯＤＤモジュール２２とがそれぞれ配置されている。ＨＤＤモジュール２１は、モジュールの一例である。ＨＤＤモジュール２１およびＯＤＤモジュール２２は、それぞれ回路基板１３と電気的に接続する。
【００１８】
メイン筐体１０は、カバー２５に塞がれたベース２６を有している。ベース２６は、メイン筐体１０の内部に設けられている。
【００１９】
図３は、カバー２５を除いてベース２６を示す平面図である。図３に示すように、ベース２６に収容部２７が設けられている。収容部２７は、メイン筐体１０の底面１０ａに開口し、ベース２６からメイン筐体１０の内部に沈み込んでいる。収容部２７に、ＨＤＤモジュール２１が収容されている。
【００２０】
図４は、ＨＤＤモジュール２１を示す斜視図である。図４に示すように、ＨＤＤモジュール２１に、取付金具３２が複数の第１のねじ３３によって取り付けられている。取付金具３２は、突出部の一例である。
【００２１】
ＨＤＤモジュール２１は、一対の横側縁３５と、前側縁３６と、後側縁３７と、コネクタ３８とを有している。後側縁３７は、側縁部の一例であり、前側縁３６の反対側に位置している。コネクタ３８は、前側縁３６に設けられるとともに、電源供給用やデータ転送用のケーブルが接続される。コネクタ３８にデータ転送用のケーブルが接続されることにより、ＨＤＤモジュール２１は、回路基板１３と電気的に接続される。
【００２２】
取付金具３２は、例えば板状の金属部材を折曲加工することによって形成されている。取付金具３２は、一対の第１の部分４１と、第２の部分４２と、中間部４３（図７に示す）とを含んでいる。一対の第１の部分４１と、第２の部分４２と、中間部４３とは、それぞれ一体に設けられている。
【００２３】
中間部４３は、第１の部分４１と第２の部分４２との間に介在されるとともに、ＨＤＤモジュール２１の後側縁３７に沿って設けられている。一対の第１の部分４１は、中間部４３とそれぞれ直交するとともに、一対の横側縁３５に沿って設けられている。第２の部分４２は、中間部４３と直交するとともに、ＨＤＤモジュール２１から遠ざかる方向に突出されて設けられている。
【００２４】
図５は、第１の部分４１の一部を拡大して示す側面図である。第１の部分４１は、複数の取付部４５を有している。取付部４５は、第１の部分４１の側端４１ａから、第１の部分４１の内側に入り込む略Ｌ字状のスリット４６によって規定されている。取付部４５に、幅の狭い絞り部４７と、第１のねじ３３が通される第１のねじ孔４８とが設けられている。
【００２５】
図４に示すように、複数の第１のねじ３３がそれぞれ第１のねじ孔４８を通ってＨＤＤモジュール２１に捻じ込まれることで、取付金具３２の第１の部分４１がＨＤＤモジュール２１に固定されている。
【００２６】
図６は、図３のＦ６−Ｆ６線に沿って、収容部２７に収容されたＨＤＤモジュール２１を示す断面図である。図７は、図６の円Ａで囲む部分を拡大して示す断面図である。図７に示すように、ベース２６は、メイン筐体１０の内部からベース２６に亘って設けられるグランド部４９を有している。
【００２７】
メイン筐体１０は、その内面に、例えばスパッタリング等の手法で形成した金属薄膜であるシールド層５０を有している。シールド層５０は、メイン筐体１０内部の回路部品等から発生する電磁波が、メイン筐体１０を透過して外部に漏洩したり、逆に外部からの電磁波がメイン筐体１０内部の回路部品に悪影響を及ぼしたりすることを防止する。シールド層５０は、グランド部４９に電気的に接続されている。
【００２８】
取付金具３２の第２の部分４２は、ベース２６に支持された支持部５１を有している。支持部５１は、ベース２６のグランド部４９に当接している。
【００２９】
第２の部分４２に、複数の開口部５２が設けられている。開口部５２は、支持部５１とＨＤＤモジュール２１との間に位置している。詳しく述べると、開口部５２は、ＨＤＤモジュール２１の後側縁３７と、後側縁３７に対向する収容部２７の側壁２７ａとの間であって、後側縁３７の近傍に設けられている。
【００３０】
図４に示すように、開口部５２は、ＨＤＤモジュール２１の後側縁３７に沿う方向に延びる長孔形状に設けられている。開口部５２は、支持部５１とＨＤＤモジュール２１との間に挟まるように配置されている。
【００３１】
前記構成のポータブルコンピュータ１によれば、支持部５１とＨＤＤモジュール２１との間に開口部５２が設けられている。すなわち、ベース２６に支持された支持部５１と、ＨＤＤモジュール２１との間に、開口部５２が挟まれている。これにより、取付金具３２の第２の部分４２は、ＨＤＤモジュール２１に固定された第１の部分４１に対して図７の矢印Ｂで示す方向に弾性的に変位可能である。矢印Ｂで示す方向は、第２の部分４２に沿って、ＨＤＤモジュール２１との間で近づいたり離れたりする方向である。
【００３２】
ポータブルコンピュータ１が落下などによって外部から衝撃を受けた場合、第２の部分４２が第１の部分４１に対して弾性的に変位することによって、ＨＤＤモジュール２１は、ベース２６に対して弾性的に変位する。これにより、メイン筐体１０からＨＤＤモジュール２１に伝わる衝撃が緩和され、ＨＤＤモジュール２１のコネクタ３８に応力が集中することを防止できる。
【００３３】
開口部５２は、ＨＤＤモジュール２１の後側縁３７に沿う方向に延びる長孔形状に設けられている。すなわち、開口部５２は、第２の部分４２を第１の部分４１に対して弾性的に変位させることが望まれる矢印Ｂ方向に対して直交する方向に延びている。これにより、第２の部分４２が第１の部分４１に対して弾性的に変位しやすくなる。
【００３４】
さらに、取付金具３２のみによってＨＤＤモジュール２１のコネクタ３８に応力が集中することを防止できるようになるため、部品点数を低減することができる。加えて、ＨＤＤモジュール２１を取付金具３２に固定する第１のねじ３３は、通常のねじを適用することができる。これにより、ポータブルコンピュータ１の製造コストを低減することができる。
【００３５】
さらに、支持部５１は、ベース２６のグランド部４９に当接している。これにより、取付金具３２は、グランド部４９を介してシールド層５０に接地できる。したがって、別途の導電部材が不要となり、部品点数を低減し、ポータブルコンピュータ１の製造コストを低減することができる。
【００３６】
次に、本発明の第２の実施の形態について、図８を参照して説明する。この第２の実施の形態において、第１の実施の形態のポータブルコンピュータ１と同一の機能を有する構成部分には同一の参照符号を付してその説明を省略する。
【００３７】
図８は、カバー２５を除いてベース２６を示す平面図である。図８に示すように、第２の実施の形態の複数の開口部５２は、円形状に設けられている点で第１の実施の形態と異なっている。複数の開口部５２は、ＨＤＤモジュール２１の後側縁３７に沿う方向に並んで配置されている。
【００３８】
前記構成のポータブルコンピュータ１によれば、第１の実施の形態と同様に、支持部５１とＨＤＤモジュール２１との間に開口部５２が設けられている。したがって、ポータブルコンピュータ１が落下などによって外部から衝撃を受けた場合、第２の部分４２が第１の部分４１に対して弾性的に変位する。これにより、メイン筐体１０からＨＤＤモジュール２１に伝わる衝撃が緩和され、ＨＤＤモジュール２１のコネクタ３８に応力が集中することを防止できる。
【００３９】
なお、開口部５２の形状は、長孔形状や円形状に限らない。開口部５２は、例えばＨＤＤモジュール２１の後側縁３７に沿う方向に延びる楕円形状や、矩形状や、その他種々の形状に設けても良い。さらに、１つの開口部５２のみが設けられていても良い。
【００４０】
次に、本発明の第３の実施の形態について、図９ないし図１２を参照して説明する。この第３の実施の形態において、第１の実施の形態のポータブルコンピュータ１と同一の機能を有する構成部分には同一の参照符号を付してその説明を省略する。
【００４１】
図９は、メイン筐体１０の内部を示す平面図である。図９に示すように、メイン筐体１０は、内部に設けられたベース６１と、一対のリブ６２とを有している。ベース６１は、ベースの一例であるとともに、機器筐体の底壁の一例である。一対のリブ６２は、ベース６１からメイン筐体１０の内部に向かって突出されている。
【００４２】
ベース６１に、収容部６３が設けられている。収容部６３は、一対のリブ６２の間に規定されている。収容部６３に、ＯＤＤモジュール２２が収容されている。ＯＤＤモジュール２２は、モジュールの一例である。
【００４３】
図１０は、ＯＤＤモジュール２２を下方から見た斜視図である。図１０に示すように、ＯＤＤモジュール２２は、後側縁６４と、後側縁６４に設けられたコネクタ６５とを有している。後側縁６４は、側縁部の一例である。コネクタ６５は、後側縁６４に設けられるとともに、電源供給用やデータ転送用のケーブルが接続される。コネクタ６５にデータ転送用のケーブルが接続されることにより、ＯＤＤモジュール２２は、回路基板１３と電気的に接続される。
【００４４】
ＯＤＤモジュール２２の後側縁６４に、取付金具６７が取り付けられている。取付金具６７は、取付金具の一例であるとともに、突出部の一例である。取付金具６７は、例えば板状の金属部材を折曲加工することによって形成されている。取付金具６７は、ＯＤＤモジュール２２をベース６１に取り付けるための金具本体６８を備えている。
【００４５】
図１１は、取付金具６７を示す斜視図である。図１１に示すように、金具本体６８は、モジュール固定部７１と、機器筐体固定部７２と、コーナー部７３とを備えている。モジュール固定部７１は、モジュール固定部の一例であるとともに、第１の部分の一例である。機器筐体固定部７２は、機器筐体固定部の一例であるとともに、第２の部分の一例である。モジュール固定部７１と、機器筐体固定部７２と、コーナー部７３とは、一体に設けられている。
【００４６】
図１２は、取付金具６７によって固定されたＯＤＤモジュール２２とベース６１とを示している。モジュール固定部７１は、当接部７５を有している。図１２に示すように、当接部７５は、ＯＤＤモジュール２２の後側縁６４に当接する。
【００４７】
図１１に示すように、モジュール固定部７１に、複数の第１のねじ孔７６と、複数のパンチ孔７７とが設けられている。第１のねじ孔７６は、ＯＤＤモジュール２２の後側縁６４に沿う方向において、モジュール固定部７１の両端にそれぞれ設けられている。複数のパンチ孔７７は、軽量化のために設けられている。
【００４８】
図１２に示すように、複数の第１のねじ孔７６に、それぞれ複数の第１のねじ７８が通される。第１のねじ７８が第１のねじ孔７６を通ってＯＤＤモジュール２２に捻じ込まれることにより、当接部７５とＯＤＤモジュール２２とが固定される。
【００４９】
機器筐体固定部７２は、モジュール固定部７１が延びる方向と直交する方向に延びている。すなわち、機器筐体固定部７２は、ＯＤＤモジュール２２から離れる方向へ突出されている。図１２に示すように、機器筐体固定部７２は、ベース６１に支持された支持部８０を有している。
【００５０】
図１１に示すように、機器筐体固定部７２に、第２のねじ孔８１が設けられている。第２のねじ孔８１は、ＯＤＤモジュール２２の後側縁６４に沿う方向において、機器筐体固定部７２のほぼ中央に設けられている。
【００５１】
図１２に示すように、第２のねじ孔８１に、第２のねじ８２が通される。第２のねじ８２は、第２のねじの一例であるとともに、固定具の一例である。第２のねじ８２が第２のねじ孔８１を通ってベース６１に捻じ込まれることにより、支持部８０がベース６１に固定される。これにより、金具本体６８がベース６１に固定される。
【００５２】
コーナー部７３は、モジュール固定部７１と機器筐体固定部７２とで規定されている。コーナー部７３は、金属部材が折り曲げられた部分である。コーナー部７３には、開口部８４が設けられている。
【００５３】
図１１に示すように、開口部８４は、モジュール固定部７１と機器筐体固定部７２とに跨っている。開口部８４は、ＯＤＤモジュール２２の後側縁６４に沿って伸びる長孔形状に設けられている。
【００５４】
前記構成のポータブルコンピュータ１によれば、支持部８０とＯＤＤモジュール２２との間に開口部８４が設けられている。さらに、開口部８４は、モジュール固定部７１と機器筐体固定部７２とに跨っている。これにより、取付金具６７の機器筐体固定部７２は、ＯＤＤモジュール２２に固定されたモジュール固定部７１に対して図１２の矢印Ｃおよび矢印Ｄで示す方向に弾性的に変位可能である。矢印Ｃで示す方向は、機器筐体固定部７２に沿って、ＯＤＤモジュール２２との間で近づいたり離れたりする方向である。矢印Ｄで示す方向は、モジュール固定部７１に沿って、ベース６１との間で近づいたり離れたりする方向である。
【００５５】
ポータブルコンピュータ１が落下などによって外部から衝撃を受けた場合、機器筐体固定部７２がモジュール固定部７１に対して弾性的に変位することによって、ＯＤＤモジュール２２は、ベース２６に対して弾性的に変位する。これにより、メイン筐体１０からＯＤＤモジュール２２に伝わる衝撃が緩和され、ＯＤＤモジュール２２のコネクタ６５に応力が集中することを防止できる。
【００５６】
開口部８４は、ＯＤＤモジュール２２の後側縁６４に沿う方向に延びる長孔形状に設けられている。すなわち、開口部８４は、機器筐体固定部７２をモジュール固定部７１に対して弾性的に変位させることが望まれる矢印Ｃおよび矢印Ｄ方向に対して直交する方向に延びている。これにより、機器筐体固定部７２がモジュール固定部７１に対して弾性的に変位しやすくなる。
【００５７】
さらに、取付金具６７のみによってＯＤＤモジュール２２のコネクタ６５に応力が集中することを防止できるようになるため、部品点数を低減することができる。加えて、ＯＤＤモジュール２２を取付金具６７に固定する第１のねじ７８は、通常のねじを適用することができる。これにより、ポータブルコンピュータ１の製造コストを低減することができる。
【００５８】
次に、本発明の第４の実施の形態について、図１３および図１４を参照して説明する。この第４の実施の形態において、第１の実施の形態のポータブルコンピュータ１と同一の機能を有する構成部分には同一の参照符号を付してその説明を省略する。
【００５９】
図１３は、ディスプレイユニット３の内部構造を示す平面図である。ディスプレイ筐体１７は、ベース９１を有している。ディスプレイ筐体１７は、機器筐体の一例である。ベース９１は、ディスプレイ筐体１７の内部に設けられている。ベース９１には、収容部９２が設けられている。例えば収容部９２は、ベース９１から突出する複数のリブによって規定されている。
【００６０】
図１３に示すように、収容部９２に、ディスプレイモジュール１８が収容されている。ディスプレイモジュール１８は、モジュールの一例である。ディスプレイモジュール１８は、回路基板１３と電気的に接続されている。
【００６１】
ディスプレイモジュール１８には、一対の取付金具９３が取り付けられている。取付金具９３は、突出部の一例である。取付金具９３は、第１の部分９４と、第２の部分９５とを有している。第１の部分９４は、ディスプレイモジュール１８に固定されている。第２の部分９５は、ディスプレイモジュール１８から遠ざかる方向に突出されている。
【００６２】
図１４は、図１３の円Ｅで囲んだ部分を拡大して示す平面図である。図１４に示すように、第２の部分９５は、ベース９１に支持された支持部９６を有している。支持部９６は、固定ねじ９７によってベース９１に固定されている。固定ねじ９７は、固定具の一例である。
【００６３】
第２の部分９５に、開口部９８が設けられている。開口部９８は、支持部９６とディスプレイモジュール１８との間に位置し、ディスプレイモジュール１８の側縁部１８ｂに沿う方向に延びる長孔形状に設けられている。
【００６４】
前記構成のポータブルコンピュータ１によれば、支持部９６とディスプレイモジュール１８との間に開口部９８が設けられている。これにより、取付金具９３の第２の部分９５は、ディスプレイモジュール１８に固定された第１の部分９４に対して図１４の矢印Ｆで示す方向に弾性的に変位可能である。矢印Ｆで示す方向は、第２の部分９５に沿って、ディスプレイモジュール１８との間で近づいたり離れたりする方向である。
【００６５】
なお、本発明は上記実施の形態に特定されるものではなく、発明の趣旨を逸脱しない範囲内で種々変更して実施可能である。例えば、モジュールはＯＤＤ、ＨＤＤ、ディスプレイモジュールに限らず、ポインティングデバイスのような他のモジュールでも良い。
【符号の説明】
【００６６】
１…ポータブルコンピュータ，１０…メイン筐体，１３…回路基板，１７…ディスプレイ筐体，１８…ディスプレイモジュール，１８ａ…側縁部，２１…ＨＤＤモジュール，２２…ＯＤＤモジュール，２６，６１，９１…ベース，２７，６３，９２…収容部，３２，６７，９３…取付金具，３７，６４…後側部，５１，８０，９６…支持部，５２，８４，９８…開口部，６８…金具本体，７１…モジュール固定部，７２…機器筐体固定部，７３…コーナー部，７５…当接部，７６…第１のねじ孔，７８…第１のねじ，８１…第２のねじ孔，８２…第２のねじ。
【図１】
2011129191.tif 000003
【図２】
2011129191.tif 000004
【図３】
2011129191.tif 000005
【図４】
2011129191.tif 000006
【図５】
2011129191.tif 000007
【図６】
2011129191.tif 000008
【図７】
2011129191.tif 000009
【図８】
2011129191.tif 000010
【図９】
2011129191.tif 000011
【図１０】
2011129191.tif 000012
【図１１】
2011129191.tif 000013
【図１２】
2011129191.tif 000014
【図１３】
2011129191.tif 000015
【図１４】
2011129191.tif 000016
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
ベースを有する機器筐体と、
前記機器筐体に収容され、コネクタを有したモジュールと、
スリットが設けられ、前記スリット近傍に位置されて前記モジュールに固定された取付部を有する第１の部分と、
前記第１の部分と一体に設けられて前記モジュールから遠ざかる方向に突出され、前記ベースに支持された支持部を有し、該支持部と前記モジュールとの間に位置する開口部が設けられた第２の部分と、
を具備したことを特徴とする電子機器。
【請求項２】
前記第１の部分は、前記スリットによって規定され、前記取付部よりも幅が狭く形成されて前記取付部を支持した絞り部を有したことを特徴とする請求項１に記載の電子機器。
【請求項３】
前記取付部にねじ孔が設けられ、
前記取付部は、前記ねじ孔を通るねじによって前記モジュールに固定されたことを特徴とする請求項２に記載の電子機器。
【請求項４】
前記開口部は、前記モジュールの側縁部に沿う方向に延びる長孔形状に設けられたことを特徴とする請求項１に記載の電子機器。
【請求項５】
前記支持部は、固定具によって前記ベースに固定されていることを特徴とする請求項１に記載の電子機器。
【請求項６】
前記ベースに収容部が設けられ、
前記収容部は、前記ベースから沈み込むとともに、前記モジュールの側縁部に対向する側壁を有し、
前記開口部は、前記側縁部と前記側壁との間に位置することを特徴とする請求項１に記載の電子機器。
【請求項７】
前記開口部は、前記側縁部の近傍に設けられたことを特徴とする請求項６に記載の電子機器。
【請求項８】
前記ベースは、グランド部を有しており、前記グランド部が前記支持部に当接したことを特徴とする請求項１に記載の電子機器。
【手続補正２】
【補正対象書類名】明細書
【補正対象項目名】０００９
【補正方法】変更
【補正の内容】
【０００９】
上記目的を達成するための本発明の一つの形態に係る電子機器は、  
ベースを有する機器筐体と、前記機器筐体に収容され、コネクタを有したモジュールと、スリットが設けられ、前記スリット近傍に位置されて前記モジュールに固定された取付部を有する第１の部分と、前記第１の部分と一体に設けられて前記モジュールから遠ざかる方向に突出され、前記ベースに支持された支持部を有し、該支持部と前記モジュールとの間に位置する開口部が設けられた第２の部分と、を具備する。
【手続補正３】
【補正対象書類名】明細書
【補正対象項目名】００１０
【補正方法】削除
【補正の内容】
【手続補正４】
【補正対象書類名】明細書
【補正対象項目名】００６５
【補正方法】変更
【補正の内容】
【００６５】
なお、本発明は上記実施の形態に特定されるものではなく、発明の趣旨を逸脱しない範囲内で種々変更して実施可能である。例えば、モジュールはＯＤＤ、ＨＤＤ、ディスプレイモジュールに限らず、ポインティングデバイスのような他のモジュールでも良い。
以下に、出願当初の特許請求の範囲の内容を付記する。
[１]モジュールを機器筐体の底壁に取り付けるための金具本体を具備し、前記金具本体は、
前記モジュールの側縁部に当接する当接部を有し、該当接部と前記モジュールとを固定するための複数の第１のねじが通される複数の第１のねじ孔が設けられたモジュール固定部と、
前記モジュール固定部が延びる方向と直交する方向に延びるとともに、前記金具本体を前記機器筐体の底壁に固定するための第２のねじが通される第２のねじ孔が設けられた機器筐体固定部と、
前記モジュール固定部と前記機器筐体固定部とで規定されるとともに、前記モジュール固定部と前記機器筐体固定部に跨る開口部が設けられたコーナー部と、を備え、
前記開口部は、前記モジュール固定部に対して前記機器筐体固定部が変位可能となるように前記モジュールの側縁部に沿って延びる長孔形状に設けられたことを特徴とする取付金具。
[２]収容部が設けられたベースを有する機器筐体と、
前記機器筐体に収容された回路基板と、
前記機器筐体の前記収容部に収容され、前記回路基板と電気的に接続するモジュールと、
前記モジュールから突出され、前記ベースに支持された支持部を有し、該支持部と前記モジュールとの間に位置する開口部が設けられた突出部と、
を具備していることを特徴とする電子機器。
[３]前記開口部は、前記モジュールの側縁部に沿う方向に延びる長孔形状に設けられたことを特徴とする[２]に記載の電子機器。
[４]前記突出部は、前記モジュールに固定された第１の部分と、前記支持部および前記開口部が設けられた第２の部分とを含み、前記第１の部分と前記第２の部分とが一体に設けられたことを特徴とする[２]に記載の電子機器。
[５]前記開口部は、前記第１の部分と前記第２の部分とに跨ることを特徴とする[４]に記載の電子機器。
[６]前記支持部は、固定具によって前記ベースに固定されていることを特徴とする[２]に記載の電子機器。
[７]前記収容部は、前記ベースから沈み込むとともに、前記モジュールの前記側縁部に対向する側壁を有し、
前記開口部は、前記側縁部と前記側壁との間に位置することを特徴とする[２]に記載の電子機器。
[８]前記開口部は、前記側縁部の近傍に設けられたことを特徴とする[７]に記載の電子機器。
[９]前記ベースは、グランド部を有しており、前記グランド部が前記支持部に当接したことを特徴とする[２]に記載の電子機器。
[１０]前記突出部に複数の前記開口部が設けられており、複数の前記開口部は、前記モジュールの側縁部に沿う方向に並んで配置されていることを特徴とする[２]に記載の電子機器。